(57)【要約】      （修正有）【課題】ナットを連続して締めたり緩めたりすることが可能なモンキーレンチを提供する。【解決手段】モンキーレンチは、主に上顎部１、下顎部２、及びハンドル３で構成される。上顎部１はハンドル３に枢設されると共に滑溝１２が形成され、下顎部２は滑溝１２に設けられると共に滑溝１２に沿ってスライドする。上顎部１と下顎部２との間にはくわえ部が形成される。下顎部２は内縁に第１側壁部２４１及び第２側壁部２４２を有する切欠き２４を含み、ハンドル３は凸部３２を有し、凸部３２は切欠き２４の内縁に相互に当接される。凸部３２が切欠き２４の第１側壁部２４１に当接されると、下顎部２が上顎部１の方向に移動し、くわえ部の内径が縮小する。凸部３２が切欠き２４の第２側壁部２４２に当接されると、下顎部２が上顎部１から離れる方向に移動し、くわえ部の内径が広がる。【選択図】図２
0003221512.tif 000002
【実用新案登録請求の範囲】
【請求項１】
第１フック部を有し、且つ少なくとも１つの滑溝が形成される上顎部と、
前記滑溝に設置され、前記滑溝に沿ってスライドし、前記第１フック部の方向に湾曲する第２フック部を有し、且つ前記第１フック部と前記第２フック部とは互いに間隔を空ける下顎部であって、前記上顎部と前記下顎部との間にはナットを嵌入させるためのくわえ部が形成され、前記下顎部は少なくとも１つの切欠きを有し、前記切欠きの内縁に第１側壁部及び前記第１側壁部の反対にある第２側壁部を有する下顎部と、
棒状を呈すると共に一端に接合部を有し、接合部が前記上顎部に相互に枢着され、且つ前記接合部には前記切欠きに対応する少なくとも１つの凸部が形成され、前記凸部は前記切欠きの内縁に相互に当接され、前記凸部が前記切欠きの第１側壁部に当接されると、前記下顎部が前記滑溝に沿って前記上顎部の方向に移動し、前記下顎部及び前記上顎部が挟持位置に位置され、前記くわえ部の内径が縮小し、前記凸部が前記切欠きの第２側壁部に当接されると、前記下顎部が前記滑溝に沿って前記上顎部から離れる方向に移動し、前記下顎部及び前記上顎部が滑脱位置に位置されるハンドルと、を備えることを特徴とするモンキーレンチ。
【請求項２】
前記滑溝の延長方向が第１延長線と定義され、前記ハンドルの延長方向が第２延長線と定義され、且つ前記第１延長線及び前記第２延長線は互いに直角に交わらずに斜めに配置されることを特徴とする請求項１に記載のモンキーレンチ。
【請求項３】
前記接合部は互いに間隔を空ける２つのプレートで構成され、且つ前記２つのプレートの間には収容部が形成され、前記収容部内にはストッパーを有し、前記上顎部には前記収容部の方向に延伸される操作部が一体形成され、前記操作部の一部は前記収容部の外に露出され、且つ前記ストッパーと前記操作部との間には弾性部材が設置され、前記弾性部材の両端が前記ストッパー及び前記操作部にそれぞれ押し当てられることにより、前記操作部が前記上顎部を駆動させて枢動させ、同時に前記下顎部を駆動させて前記滑溝に沿って前記上顎部の方向に移動させ、前記上顎部及び前記下顎部が前記挟持位置に保持されることを特徴とする請求項１に記載のモンキーレンチ。
【請求項４】
前記くわえ部はほぼＣ字形状を呈し、前記上顎部及び前記下顎部には前記くわえ部の一側に向けて複数の植歯がそれぞれ於形成され、且つ前記各植歯は前記くわえ部の中心部を円心とし、少なくとも３０度以下の角度で互いに等間隔で配置されることを特徴とする請求項１に記載のモンキーレンチ。
【考案の詳細な説明】
【技術分野】
【０００１】
本考案は、レンチに関し、より詳しくは、連続して締めたり緩めたり可能な六角ナットのレンチに関する。
【背景技術】
【０００２】
一般的なモンキーレンチは可動顎及び固定顎の一側にナット（またはボルト）を挟み、ナットを回すことで締めたり緩めたりする。
【考案の概要】
【考案が解決しようとする課題】
【０００３】
しかしながら、前述した従来のモンキーレンチでは、回す過程で障害物に阻まれると、モンキーレンチをナットの一側から外し、モンキーレンチを回しやすい位置まで移動させてから再度回さねばならず、操作が面倒であった。
【０００４】
なお、上記課題を解決するために、図７に示すようなレンチがある。主に上顎部９１、下顎部９２、及びグリップ９３で構成される。上顎部９１には滑溝９１１が設けられ、下顎部９２は滑溝９１１に沿って移動すると共にばねにより上顎部９１にきつく押し付けられる。上顎部９１及び下顎部９２は挟持部９４をそれぞれ有し、２つの挟持部９４の間にはナットを挟持するための挟み口が形成される。下顎部９２は凹部９５を有し、グリップ９３は制限ブロック９６を有し、制限ブロック９６と凹部９５とは相互に当接される。これにより、使用者はレンチの挟み口でナットを挟み、グリップ９３を反復回転させることでナットを一方向に駆動させ、ナットの連続して締めたり緩めたりすることを達成させる。
【０００５】
しかしながら、レンチの２つの挟持部９４は互いに平行するため、グリップ９３を回す際にナットが挟み口から外れやすく、使用上不便であった。
【０００６】
さらに、レンチは上顎部９１と下顎部９２とを離すことができ、挟み口を広げてナットを挟むことができるが、上顎部９１と下顎部９２とが互いに離れる方向がグリップ９３に対して垂直になるため、ナットが狭い空間に位置される場合、上顎部９１及び下顎部９２の移動が制限され、挟み口をスムーズに広げてナットを挟むことができなかった。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、モンキーレンチを提供することを主目的とする。すなわち、前記弾性部材を前記操作部に押し当てることにより、第１フック部と第２フック部とを近接させ、且つ第１フック部及び前記第２フック部を湾曲状に設計することで、くわえ部内に位置されるナットを強固に挟持させ、前記ハンドルを動かす際にナットがくわえ部から脱出しないようにする。
【０００９】
本考案の他の目的は、モンキーレンチを提供することにある。すなわち、前記滑溝及び前記ハンドルの延長方向が斜めになる設計により、ナットを嵌入させる際に上顎部及び下顎部を互いに離すために必要になる展開空間を減少させる。
【課題を解決するための手段】
【００１０】
上記課題を解決するために、本考案のある態様のモンキーレンチは、
第１フック部を有し、且つ少なくとも１つの滑溝が形成される上顎部と、
前記滑溝に設置され、前記滑溝に沿ってスライドし、前記第１フック部の方向に湾曲する第２フック部を有し、且つ前記第１フック部と前記第２フック部とは互いに間隔を空ける下顎部であって、前記上顎部と前記下顎部との間にはナットを嵌入させるためのくわえ部が形成され、前記下顎部は少なくとも１つの切欠きを有し、前記切欠きの内縁に第１側壁部及び前記第１側壁部の反対にある第２側壁部を有することと、
棒状を呈すると共に一端に接合部を有し、接合部が前記上顎部に相互に枢着され、且つ前記接合部には前記切欠きに対応する少なくとも１つの凸部が形成され、前記凸部は前記切欠きの内縁に相互に当接され、前記凸部が前記切欠きの第１側壁部に当接されると、前記下顎部が前記滑溝に沿って前記上顎部の方向に移動し、前記下顎部及び前記上顎部が挟持位置に位置され、前記くわえ部の内径が縮小し、前記凸部が前記切欠きの第２側壁部に当接されると、前記下顎部が前記滑溝に沿って前記上顎部から離れる方向に移動し、前記下顎部及び前記上顎部が滑脱位置に位置されるハンドルと、を備える。
【００１１】
好ましくは、前記滑溝の延長方向が第１延長線と定義され、前記ハンドルの延長方向が第２延長線と定義され、且つ前記第１延長線及び前記第２延長線は互いに直角に交わらずに斜めに配置される。
【００１２】
好ましくは、前記接合部は互いに間隔を空ける２つのプレートで構成され、且つ前記２つのプレートの間には収容部が形成され、前記収容部内にはストッパーを有し、前記上顎部には前記収容部の方向に延伸される操作部が一体形成され、前記操作部の一部は前記収容部の外に露出され、且つ前記ストッパーと前記操作部との間には弾性部材が設置され、前記弾性部材の両端が前記ストッパー及び前記操作部にそれぞれ押し当てられることにより、前記操作部が前記上顎部を駆動させて枢動させ、同時に前記下顎部を駆動させて前記滑溝に沿って前記上顎部の方向に移動させ、前記上顎部及び前記下顎部が前記挟持位置に保持される。
【００１３】
好ましくは、前記くわえ部はほぼＣ字形状を呈し、前記上顎部及び前記下顎部には前記くわえ部の一側に向けて複数の植歯がそれぞれ於形成され、且つ前記各植歯は前記くわえ部の中心部を円心とし、少なくとも３０度以下の角度で互いに等間隔で配置される。
【図面の簡単な説明】
【００１４】
【図１】本考案の一実施形態に係るモンキーレンチを示す斜視構成の概略図である。
【図２】本考案の一実施形態に係るモンキーレンチを示す斜視の分解図である。
【図３】本考案の一実施形態に係るモンキーレンチを示す平面構成の概略図である。
【図４】本考案の使用状態の概略図であって、ハンドルにより挟持位置まで回す状態図である。
【図５】本考案の使用状態の概略図であって、ハンドルにより滑脱位置まで回す状態図である。
【図６】本考案の使用状態の概略図であって、ナットを狭いスペースに挟持する時の状態図である。
【図７】従来のモンキーレンチを示す斜視構成の概略図である。
【考案を実施するための形態】
【００１５】
以下、本開示の実施形態について図面を用いて説明する。なお、本開示は、下記の実施形態に何ら限定されることはなく、本開示の技術的範囲に属する限り種々の形態を採りうる。
【００１６】
以下、図１〜６を参照しながら、本考案をさらに詳しく説明する。本考案のモンキーレンチは主に上顎部１、下顎部２、及びハンドル３で構成される（図１乃至図３参照）。
【００１７】
前記上顎部１は湾曲状を呈すると共に第１フック部１１を有し、且つ前記上顎部１の両側が内側に凹むことで滑溝１２がそれぞれ形成される。
【００１８】
前記下顎部２はＵ字形状を呈する凹部２１を有し、且つ前記凹部２１の２つの内側壁部には係止ブロック２２がそれぞれ形成され、前記下顎部２には前記滑溝１２に対応するように係止ブロック２２が設置され、前記下顎部２は係止ブロック２２が前記滑溝１２に沿ってスライドする。前記下顎部２は前記凹部２１から離れる一側に前記第１フック部１１とは互いに間隔を空けて設置される第２フック部２３が形成され、且つ前記第２フック部２３が前記第１フック部１１の方向の湾曲する。前記上顎部１と前記下顎部２と間にＣ字形状空間を呈するくわえ部１３が形成され、前記くわえ部１３にはナットが嵌入される。前記下顎部２は凹部２１の一側に少Ｕ字形状を呈す少なくとも１つの切欠き２４が設けられ、且つ前記切欠き２４の内縁には第１側壁部２４１及び前記第１側壁部２４１の反対にある第２側壁部２４２を有する。本実施形態では切欠き２４の数量は２つである。
【００１９】
また、前記ハンドル３の一端には前記上顎部１に枢着される接合部３１を有し、前記接合部３１には前記切欠き２４に対応する少なくとも１つの凸部３２が形成される。本実施形態においては凸部３２の数量は２つであり、前記凸部３２は前記切欠き２４の内縁に相互に当接される。前記接合部３１は互いに間隔を空ける２つのプレート３３で構成され、前記２つのプレート３３の間には収容部３４が形成される。前記収容部３４内にはストッパー３５を有し、前記上顎部１には前記収容部３４の方向に延伸される操作部１４が一体形成される。前記操作部１４の一部は前記収容部３４の外に露出され、前記ストッパー３５と前記操作部１４との間には弾性部材１５が設置され、これは本実施形態では圧縮ばねである。前記弾性部材１５の両端は前記ストッパー３５及び前記操作部１４にそれぞれ押し当てられ、且つ前記操作部１４が押されると、前記操作部１４が前記上顎部１を駆動させて枢動させる。前記下顎部２はその切欠き２４が前記凸部３２に相互に当接されることにより、前記下顎部２を前記滑溝１２に沿って直線的にスライドさせ、こうして前記上顎部１との距離を離す。そして、前記第１フック部１１と前記第２フック部２３とが徐々に離間し、前記ナットが前記くわえ部１３中に嵌入可能となる。前記操作部１４が押されなくなると、前記弾性部材１５が弾性回復力の作用により前記操作部１４を押動させ、前記上顎部１が枢動されると同時に前記下顎部２が駆動されて前記滑溝１２に沿って前記上顎部１の方向に移動し、前記第１フック部１１と前記第２フック部２３との間隔が縮小する。これにより、前記ハンドル３の枢動回転時に前記くわえ部１３内に位置されるナットが前記くわえ部１３から外れにくくなる。
【００２０】
当然ながら、前記上顎部１が枢動されるため、前記第１フック部１１及び前記第２フック部２３が直接ナットを押動させてもよく、前記上顎部１の枢動により、ナットが上顎部１に圧迫されてくわえ部１３内に滑り込む。
【００２１】
本実施例では、前記くわえ部１３はほぼ円形を呈し、前記上顎部１及び前記下顎部２は前記くわえ部１３に向けられる一側に複数の植歯１９がそれぞれ形成される。前記各植歯１９は前記くわえ部１３の中心部を円心Ｏとし、互いに少なくとも所定角度θ以下の角度で等間隔で配置される。前記所定角度θは３０度であり、前記くわえ部１３が前記各植歯１９によりナットの外縁（例えば、六角ナット）に適合させ、前記上顎部１及び前記下顎部２がナットを挟持させる際により堅固にナットを挟持可能になる。  
【００２２】
さらに、前記滑溝１２の延長方向は第１延長線Ｄと定義され、前記ハンドル３の延長方向には第２延長線Ｃを有し、且つ前記第１延長線Ｄと前記第２延長線Ｃとは互いに直角に交わらずに斜めに配置される。これにより、ナットの嵌入時に、前記前記上顎部１を外に向けて枢動させると共に下顎部２を前記滑溝１２に沿って移動させるために必要な展開空間が減少する。
【００２３】
図４に示すように、前記凸部３２が前記切欠き２４の第１側壁部２４１に当接されると（即ち、前記ハンドル３が図中で時計回り方向に移動する）、前記下顎部２が前記滑溝１２に沿って前記上顎部１の方向に移動し、前記下顎部２及び前記上顎部１が挟持位置Ａに位置され、且つ前記くわえ部１３の内径が縮小すると共に前記くわえ部１３の開きが維持される。
【００２４】
なお、図５に示すように、前記凸部３２が前記切欠き２４の第２側壁部２４２に当接されると（即ち、前記ハンドル３が図中で反時計回り方向に枢動する）、前記下顎部２が前記滑溝１２に沿って前記上顎部１から離れる方向に移動し、前記下顎部２及び前記上顎部１が滑脱位置Ｂに位置される。また、前記下顎部２及び前記上顎部１が前記滑脱位置Ｂに位置されると、くわえ部１３の内径が前記ナットの外径より大きくなり、且つ前記下顎部２及び前記上顎部１が前記挟持位置Ａに位置される際の前記くわえ部１３の内径よりも小さくなる。
【００２５】
上述の構造で構成される本考案は実際の使用時に、使用者はまず前記操作部１４に力をかけ、前記操作部１４により前記弾性部材１５を圧縮させると共に前記上顎部１を駆動させて枢動させ、前記下顎部２と前記上顎部１とを互いに離間させると共に展開させる。これにより、前記くわえ部１３が締め緩めするナットを嵌入するために十分な距離が確保される。使用者が前記操作部１４に対して力をかけるのを止めると、前記弾性部材１５が弾性回復力の作用により前記操作部１４を押動して移動させ、前記上顎部１が同期で駆動されて枢動し、前記上顎部１の第１フック部１１と前記下顎部２の第２フック部２３とが互いに近接し、前記ナットが前記くわえ部１３内に強固に挟持される。続いて、使用者は前記ナットを軸心として前記ハンドル３を一側に向けて枢動させ、前記凸部３２を前記切欠き２４の第１側壁部２４１に当接させると、前記下顎部２が前記滑溝１２に沿って前記上顎部１の方向に移動し、前記下顎部２及び前記上顎部１が前記挟持位置Ａに位置される。また、前記下顎部２及び前記上顎部１により前記ナットが前記くわえ部１３内に挟持され、且つ前記ナットが駆動されて前記ハンドル３と同期で枢動回転し、前記ナットの締め緩め動作が行われる。
【００２６】
前記ハンドル３が所定の距離枢動された後、使用者は前記ハンドル３を他側に向けて枢動させるのみで、前記凸部３２が前記切欠き２４の第２側壁部２４２に当接され、前記下顎部２が前記滑溝１２に沿って前記上顎部１から離れる方向に移動し、前記下顎部２及び前記上顎部１が前記滑脱位置Ｂに位置される。前記下顎部２及び前記上顎部１は前記くわえ部１３が開かれることにより前記ナットを挟持しなくなる。次に、前述の動作が重複して行われ、前記下顎部２及び前記上顎部１が前記挟持位置Ａまで移動され、且つ再度枢動されるとナットの連続して締めたり緩めたりすることが達成される。
【００２７】
前述の説明のように、本考案の長所は、前記弾性部材１５が前記操作部１４に押し当てられることにより前記第１フック部１１が前記第２フック部２３に近接し、且つ前記第１フック部１１及び前記第２フック部２３の湾曲状の設計により、前記くわえ部１３内に位置されるナットが堅固に挟持される。これにより、操作時にくわえ部１３内に位置されるナットがくわえ部１３から滑脱しなくなる。
【００２８】
また、図６に示されるように、本考案は前記上顎部１の枢動及び前記下顎部２の直線スライドにより、互いに離れるように移動する際に、その移動方向が前記ハンドル３の延長方向に対して斜めに移動するように設計される。これにより、前記上顎部１及び前記下顎部２を互いに離して前記ナットを前記くわえ部１３に嵌入させるために必要な展開空間が減少する。
【００２９】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００３０】
（従来の部分）
９１  上顎部
９１１  滑溝
９２  下顎部
９３  グリップ
９４  挟持部
９５  凹部
９６  制限ブロック
（本考案部分）
１  上顎部
１１  第１フック部
１２  滑溝
１３  くわえ部
１４  操作部
１５  弾性部材
１９  植歯
２  下顎部
２１  凹部
２２  係止ブロック
２３  第２フック部
２４  切欠き
２４１  第１側壁部
２４２  第２側壁部
３  ハンドル
３１  接合部
３２  凸部
３３  プレート
３４  収容部
３５  ストッパー
Ａ  挟持位置
Ｂ  滑脱位置
Ｄ  第１延長線
Ｃ  第２延長線
θ  所定角度
【図１】
0003221512.tif 000003
【図２】
0003221512.tif 000004
【図３】
0003221512.tif 000005
【図４】
0003221512.tif 000006
【図５】
0003221512.tif 000007
【図６】
0003221512.tif 000008
【図７】
0003221512.tif 000009